(57)【要約】      （修正有）【課題】向きを同じにして積重ねると共に、向きを４５°変えた状態でも積重ねることが出来る容器を提供する。【解決手段】正方形をした底部の各辺に沿って上方へ側部を起立して本体を構成し、本体の底部下面に脚部を設ける。脚部は底部の各コーナー部に突出して設け、脚部外側面は半径の円弧を有すと共に側部コーナー部の内側面の円弧半径より小さくし、また、脚部の内面は側部に対して４５°を成して傾斜した平坦面を有する。これら脚部は、容器の向きを同じにして積重ねた場合に下側容器の本体側部コーナー部に嵌り、一方、向きを４５°に変えて積重ねた場合には下側容器の側部外側に位置する。【選択図】図４
0003166646.tif 000002
【実用新案登録請求の範囲】
【請求項１】
正方形をした底部の各辺に沿って上方へ側部を起立して本体を構成し、該本体の底部下面に脚部を設けた容器において、上記脚部は底部の各コーナー部に突出して設け、これら脚部は容器の向きを同じにして積重ねた場合に下側容器の本体に嵌り、また、向きを４５°に向きを変えて積重ねた場合には下側容器の側部外側に位置するようにしたことを特徴とする容器。
【請求項２】
上記各脚部の間に所定の空間を残して補助脚部を設けた請求項１記載の容器。
【請求項３】
上記本体のコーナー部を円弧状に湾曲すると共に、底部に設けた脚部外側面も円弧状に湾曲した請求項１、又は請求項２記載の容器。
【考案の詳細な説明】
【技術分野】
【０００１】
本考案は四角形の容器を向きを統一しても、また向きを変えても積重ねることが出来る容器に関するものである。
【背景技術】
【０００２】
一口に容器といってもその大きさ及び形態は色々あり、用途に応じて使い分けられている。本考案が対象とする容器は一般に料理を収容することが出来る食器であるが、使わない時には積重ねて収納される。図５は複数の容器（イ）、（イ）・・・を積重ねた場合を示しているが、この場合、該容器（イ）、（イ）・・・は位置ズレしないように積重ね出来る形態と成っている。
【０００３】
図６は上記容器（イ）を示している具体例であり、（ａ）は縦断面図、（ｂ）は底面図をそれぞれ表している。容器（イ）は正方形の底部（ロ）を有し、該底部（ロ）からほぼ垂直に起立する側部（ハ）、（ハ）・・・を形成している。また、底部（ロ）には脚部（ニ）、（ニ）・・・を側部（ハ）、（ハ）・・・に沿って下方へ突出して設けている。ここで、脚部（ニ）の形状も正方形を成しているが、側部（ハ）、（ハ）・・・より一回り小さく、該底部（ロ）の縁との間に一定の距離を隔てた位置に設けられている。
【０００４】
従って、該容器（イ）を上側に積重ねる場合、上記脚部（ニ）、（ニ）・・・は側部（ハ）、（ハ）・・・の内側に嵌ることが出来、各容器（イ）、（イ）・・・は図５  に示すように位置ズレすることなく積重ねることが出来る。ところで、保管する場合の収納形態であれば、このように積重ねることに何ら問題はないが、容器内部に料理を入れた状態で前記図５のように積重ねるならば、内部に空気が侵入しない為に問題になることもある。
【０００５】
すなわち、容器内に空気が入るように、４５°回転して向きを変えた状態で積重ねなくてはならない場合がある。しかし、図６に示した容器（イ）の底部（ロ）に設けた脚部（ニ）、（ニ）・・・の場合、該容器（イ）の向きを変えるならば、該脚部（ニ）、（ニ）・・・が側部（ハ）、（ハ）・・・の上端に載るだけであり、位置決めすることは出来ない。その為に、積重ねた容器（イ）、（イ）・・・は位置ズレして時には崩れ落ちる虞がある。
【０００６】
一方、該容器（イ）を使った後は洗浄して収納されるが、洗浄後には水捌けして乾燥するが、該容器（イ）を裏返して水捌けする場合、脚部（ニ）、（ニ）・・・にて囲まれた内部に水が溜まって完全な水捌けが出来ない。そこで、該脚部（ニ）の一部を切欠いて底部（ロ）の下面に達する切込みを形成していることも多い。
【考案の開示】
【考案が解決しようとする課題】
【０００７】
このように、容器を上方へ積重ねる場合には上記のごとき問題がある。本考案が解決しようとする課題はこの問題点であり、同じ向きに積重ねることが出来ると共に、４５°に向きを変えた状態でも位置ズレすることなく積重ね可能な容器を提供する。
【課題を解決するための手段】
【０００８】
本考案の容器は本体と脚部から成り、基本形態は従来と同じである。本体は底部に側部を上方へ起立しており、脚部は底部の下方へ突出している。本体の形状は四角形、特に正方形とし、そして脚部は全周にわたって連続せず、コーナー部にのみ脚部を設けている。従って、コーナー部とコーナー部の間には脚部が存在しない。
【０００９】
又は、各コーナー部の間に空間を設けて補助脚部を形成する場合もある。ここで、空間を隔てた脚部と補助脚部の突出高さは同じとしてもよく、補助脚部の方を脚部より低くする場合もある。そこで、向きを統一した複数の容器は従来と同じように脚部を本体に嵌めて積重ねることが出来る。また、向きを４５°回転した方向に向けた状態でも積重ねることが可能と成る。
【考案の効果】
【００１０】
本考案の容器は底部に設けた脚部を本体に嵌めることで向きを統一して積重ねることが出来る。勿論、位置ズレして崩れることはない。そして、４５°回転して向きを変えた状態で積重ねることも可能である。この場合、コーナー部に設けた脚部は４５°回転して向きが変わることで本体側部の外側に位置して位置決めされ、上側に載った容器は安定して積重ねられる。
【００１１】
また、補助脚部を設けている場合には、脚部と補助脚部の間に形成される空間に側部が位置して積重ねられる。そして、使用後に洗浄する場合の水捌けは全周に脚部を連続して設けないことで、裏返し状態の底部に水が溜まることはない。
【図面の簡単な説明】
【００１２】
【図１】本考案に係る容器の平面図。
【図２】本考案に係る容器の縦断面図。
【図３】本考案に係る容器の底面図。
【図４】４５°向きを変えて積重ねた場合。
【図５】向きを同じにして容器を積重ねた場合。
【図６】従来の容器。
【考案を実施するための形態】
【００１３】
図１〜図３は本考案に係る容器を示す実施例であり、図１は平面図、図２は縦断面図、図３は底面図を夫々表している。そして、同図の１は本体、２は脚部を表し、樹脂を材質として一体成形されている。勿論、脚部２を本体底部に接着することも可能であり、時には木質を材質として製作する場合もあり、本考案では該容器の材質並びに製造方法に関しては限定しない。
【００１４】
上記本体１の底部３は正方形を成し、各コーナー部は所定曲率の円弧を有しており、そして底部３の各辺縁に沿って側部４，４・・・が上方へ起立している。また、底部３の下面コーナー部に上記脚部２，２・・・が突出している。該脚部２は概略三日月形をなし、その外側面５は半径ｒの円弧を有している。この円弧の半径ｒは本体１の各コーナー部の内側面６の円弧半径Ｒより僅かに小さく成っている。すなわち、Ｒ＞ｒの関係にある。
【００１５】
そして、概略三日月形の脚部２の内面７は側部４に対して４５°を成して傾斜した平坦面を有している。該脚部２，２・・・は底部３の各コーナー部に設けられ、脚部２，２・・・の間には補助脚部８，８・・・を有している。補助脚部８，８・・・は同図に示すように直線状に細長く延び、脚部２と補助脚部８との間には空間９が形成されている。
【００１６】
ところで、本考案の容器は前記図５に示すように積重ねることが出来る。この場合には上側容器の底部３の縁が下側容器の側部上端に載ると共に、上側容器の底部３の各コーナー部に設けている脚部２，２・・・が下側容器の本体１の各コーナー部に嵌って位置決めされる。従って、積み上げられた容器が位置ズレして崩れ落ちることはない。
【００１７】
すなわち、容器の向きを揃えて積重ねる場合は従来通りであり、しかも、本考案の容器は向きを４５°回転して積重ねることも出来る。図２は向きを違わせた２個の容器を積重ねた場合を示している。Ａは下側容器、Ｂは上側容器を表し、上側容器Ｂの底部３は下側容器Ａの本体側部４，４・・・の上端に載置される。そして、上側容器Ｂの底部３の各コーナー部に下方へ突出して設けられている脚部２，２・・・は下側容器Ａの側部４，４・・・の外側に位置し、補助脚部８，８・・・は側部４，４・・・の内側に位置している。
【００１８】
すなわち、下側容器Ａの本体側部４，４・・・の上端は脚部２と補助脚部８との間の空間９，９・・・に位置し、上側容器Ｂの位置ズレが防止される。勿論、空間９，９・・・の範囲内での移動は可能であるが、大きく位置ズレすることはなく、４５°向きを変えて積重ねた容器が崩れ落ちることはない。ここで、上記補助脚部８，８・・・が無くても、上側容器Ｂの位置ズレをある範囲内で防止することは可能である。すなわち、上側容器Ｂが図２において左右・上下の何れの方向へ移動しても、ある範囲内で脚部２，２・・・の内面７，７・・・が側部４，４・・・に当って阻止される。
【００１９】
このように、下側容器Ａと上側容器Ｂの向きを変えて積重ねることで、各容器の本体１，１・・・には空気が流れ込み、内部に収容した料理によって好ましい。勿論、料理を収容した場合であっても、該料理の種類によっては向きを統一して積重ねる場合もある。本考案の容器は収納する場合に向きを統一して積重ねることが出来、また、容器内部に料理を収容した場合に向きを変えて積重ねることが出来る。すなわち、２通りの積み重ね形態を必要に応じて変えることが可能と成る。
【００２０】
図１〜図３に示した容器の場合、本体１の各コーナー部は円弧状に湾曲している。その為に、底部３の各コーナー部に設けている脚部２，２・・・の形態は概略三日月形をしている。すなわち、脚部２の外側面５は本体１のコーナー部よりは僅かに小さい曲率半径をもった円弧を有しており、容器の向きを統一して積重ねた場合に、本体１のコーナー部内側面６と脚部２の外側面５がなじむように成っている。
【００２１】
ところが、本体１の各コーナー部を円弧状とせずに隣り合う側部４，４が９０°に交差する場合には、脚部２の外側面５も円弧状とせず、９０°に交差する外側面を形成することが出来る。しかし脚部内面７は側部４に対して４５°に傾斜した平坦面と成る。すなわち、直角三角形をした脚部２とすることが出来る。
【符号の説明】
【００２２】
１  本体
２  脚部
３  底部
４  側部
５  外側面
６  内側面
７  内面
８  補助脚部
【図１】
0003166646.tif 000003
【図２】
0003166646.tif 000004
【図３】
0003166646.tif 000005
【図４】
0003166646.tif 000006
【図５】
0003166646.tif 000007
【図６】
0003166646.tif 000008
【手続補正書】
【提出日】平成23年1月6日(2011.1.6)
【手続補正１】
【補正対象書類名】実用新案登録請求の範囲
【補正対象項目名】全文
【補正方法】変更
【補正の内容】
【実用新案登録請求の範囲】
【請求項１】
正方形をした底部の各辺に沿って上方へ側部を起立して本体を構成し、該本体の底部下面に脚部を設けた容器において、上記脚部は底部の各コーナー部に突出して設け、脚部外側面は半径ｒの円弧を有すと共に側部コーナー部の内側面の円弧半径Ｒより小さくし、また、脚部の内面は側部に対して４５°を成して傾斜した平坦面を有し、そこで、これら脚部は、容器の向きを同じにして積重ねた場合に下側容器の本体側部コーナー部に嵌り、一方、向きを４５°に変えて積重ねた場合には下側容器の側部外側に位置するようにしたことを特徴とする容器。
【請求項２】
上記各脚部の間に所定の空間を残して補助脚部を設けた請求項１記載の容器。